(57)【要約】      （修正有）【課題】高齢者や手に障害を持つ人であっても、一人で靴下を容易に履くことができる構造でかつ製造コストが低減できる靴下装着支援器具、ならびに介護者が被介護者に容易に靴下を履かせることができる靴下装着支援器具を提案する。【解決手段】靴下を履かせるように装着することにより靴下を袋状に拡径させた状態で保持する靴下保持部２０と、靴下保持部２０を支持し、利用者の足のガイドともなる支持部材１０とを備え、靴下保持部２０は、少なくともその一部において利用者の足が通過できるように部材が設けられていない足抜き箇所を備え、利用者が靴下保持部２０に保持された靴下に対して足を押し入れつつ靴下保持部２０の足抜き箇所から足を抜くことにより靴下の装着を可能としたことを特徴とする靴下装着支援器具１である。【選択図】図１
2014061259.tif 000002
【特許請求の範囲】
【請求項１】
靴下を履かせるように装着することにより前記靴下を袋状に拡径させた状態で保持する靴下保持部と、
前記靴下保持部を支持し、利用者の足のガイドともなる支持部材と、
を備える靴下装着支援器具であって、
前記靴下保持部は、少なくともその一部において前記利用者の足が通過できるように部材が設けられていない足抜き箇所を備え、前記利用者が前記靴下保持部に保持された前記靴下に対して足を押し入れつつ前記靴下保持部の前記足抜き箇所から足を抜くことにより前記靴下の装着を可能としたことを特徴とする靴下装着支援器具。
【請求項２】
前記靴下保持部は、側部から上部にかけて部材が設けられているが後部および底部から前方にかけて部材が設けられていない構成を備えたものであり、前記足抜き箇所が前記底部から前方にかけた箇所である請求項１に記載の靴下装着支援器具。
【請求項３】
前記靴下保持部は、側部から底部にかけて部材が設けられているが後部および上部から前方にかけて部材が設けられていない構成を備えたものであり、前記足抜き箇所が前記上部から前方にかけた箇所である請求項１に記載の靴下装着支援器具。
【請求項４】
さらに、前記支持部材を足の腿方向に誘導する操作部を備えることを特徴とする請求項１乃至３のいずれか１項に記載の靴下装着支援器具。
【請求項５】
前記操作部は、前記支持部材を足の腿方向に引き寄せる引き寄せ具である請求項４に記載の靴下装着支援器具。
【請求項６】
前記操作部は、前記支持部材を足の腿方向に押し出す押し出し具である請求項４に記載の靴下装着支援器具。
【請求項７】
前記靴下保持部又は前記支持部材のいずれか又は両方に前記操作部を備えることを特徴とする請求項４乃至６のいずれか１項に記載の靴下装着支援器具。
【請求項８】
前記支持部材と前記靴下保持部との相対的角度を自在に可変とする回動機構を備え、
前記回動機構によって利用者自らが、前記支持部材と前記靴下保持部との相対的角度を前記靴下に対して足先から踵までを挿入しやすい角度、踵を前記靴下の踵付近に掛けやすい角度、さらに、前記利用者が前記靴下に足を押し入れて前記靴下の装着を完了しやすい角度へと自在に変更できるものである請求項１乃至７のいずれか１項に記載の靴下装着支援器具。
【請求項９】
前記支持部材は、
前記靴下保持部と協働して前記靴下を保持し、前記靴下保持部が前記回動機構により回動するとき、梃子の支点となって、前記靴下が袋状に拡径することができる靴下保持補助部と、
前記支持部材を床面に戴置する脚部と、
前記操作部と、
を備えることを特徴とする請求項８に記載の靴下装着支援器具。
【請求項１０】
前記脚部により靴下の踵付近の箇所を前記靴下内部から床面に対して押圧する使用において、前記脚部が梃子の支点となって前記回動機構による前記支持部材と前記靴下保持部の相対的角度が可変に調整される請求項９に記載の靴下装着支援器具。
【請求項１１】
前記靴下保持部に保持された状態の前記靴下の踵付近の箇所を前記靴下内部から押下する踵係止部を備え、前記支持部材は前記靴下保持部と前記踵係止部を支持することを特徴とする請求項１乃至７のいずれか１項に記載の靴下装着支援器具。
【請求項１２】
前記支持部材と前記靴下保持部と前記踵係止部の相対的角度を自在に可変とする回動機構を備え、
前記回動機構は、前記支持部材と前記靴下保持部と前記踵係止部の相対的角度を、利用者が前記靴下に対して足先から踵までを挿入しやすい角度から、踵を前記踵係止部に押下された前記靴下の踵付近に掛けやすい角度、さらに、前記利用者が前記靴下に足を押し入れて前記靴下の装着を完了しやすい角度まで自在に可変とするものである請求項１１に記載の靴下装着支援器具。
【請求項１３】
前記踵係止部が、前記靴下の踵付近の箇所を前記靴下内部から床面に対して押圧する使用において、前記踵係止部が梃子の支点となって前記回動機構による前記支持部材と前記靴下保持部と前記踵係止部の相対的角度が可変に調整される請求項１２に記載の靴下装着支援器具。
【請求項１４】
前記回動機構に連動した弾性体と、前記利用者の手または足の操作により前記弾性体に弾性力を生じさせる弾性体伸長機構を備え、前記弾性体に生じさせた弾性力により、前記回動機構による前記支持部材と前記靴下保持部と前記踵係止部の相対的角度の変化を支援することを可能とした請求項１２または１３に記載の靴下装着支援器具。
【請求項１５】
前記靴下保持部の横幅を変化させる枢動機構を備え、
前記枢動機構によって利用者が、前記靴下保持部の横幅を拡げることにより、前記靴下保持部に装着されている前記靴下の開口が拡開できるものである請求項１乃至１４のいずれか１項に記載の靴下装着支援器具。
【請求項１６】
前記枢動機構による前記靴下保持部の横幅の変化を操作する操作ハンドルを備え、利用者が前記操作ハンドルを介して前記靴下の開口幅を自在に調整することを可能とした請求項１５に記載の靴下装着支援器具。
【請求項１７】
前記支持部材は、
前記枢動機構により枢動する第１の支持柱と、前記第１の支持柱と連動して枢動する第２の支持柱と、前記第１の支持柱と前記第２の支持柱を枢動可能に戴置せしめる支持板とからなる一対の支持柱体と、
前記一対の支持柱体を架橋する架橋部と、
を備えることを特徴とする請求項１６に記載の靴下装着支援器具。
【請求項１８】
前記靴下保持部と前記支持部材とは４リンク機構で連結され四角形の枠状をなしており、前記支持部材の前記第１の支持柱と前記第２の支持柱を結ぶ部分が移動しないベース関節部として構成され、前記ベース関節部の対角線上に位置する自由端関節部が前記靴下保持部の一部であり、前記四角形の対角位置にある２つの角部同士が接近、離間するように変形するものであることを特徴とする請求項１７に記載の靴下装着支援器具。
【発明の詳細な説明】
【技術分野】
【０００１】
本発明は、一人で靴下をうまく履けない高齢者又は障害者であっても、一人で靴下を容易に履くことができる、又は介護者が被介護者に容易に靴下を履かせることができる靴下装着支援器具に関する。
【背景技術】
【０００２】
従来の靴下装着支援器具は、把持部と先端部の踵係止部及び拡開部から構成され、あらかじめ靴下の開口部を踵係止部及び拡開部に折り曲げて覆い被せた後、把持部を手前に引き寄せることで足のつま先から足首及びかかとまで靴下を被せる構造となっている。したがって、あらかじめ靴下の開口部を踵係止部及び拡開部に指先で折り曲げて覆い被せて、靴下を履いた後にも靴下の開口部を外す必要があり、さらに、拡開部に係止した靴下の先端部は平たくなった状態であるため、高齢者や手に障害を持つ人には使いにくい問題があった。そこで、本願の出願人は下記特許文献１及び２において、高齢者が一人で靴下を履くことができ、又は介護者が被介護者に容易に靴下を履かせることができ、かつ使いやすい靴下装着支援器具を提案している。
【先行技術文献】
【特許文献】
【０００３】
【特許文献１】特許第４５００３６７号公報
【特許文献２】特開２０１１―５０５２４号公報
【発明の概要】
【発明が解決しようとする課題】
【０００４】
ところが、特許文献１に係る靴下装着支援器具は、靴下保持部の形状が波形で構成し、高齢者等が両手を使えば、靴下を一人で履くことができるものの、片手では履くことができない問題があった。特に、右半身又は左半身に障害を持つ人等は、該靴下装着支援器具を用いて靴下を一人で履くことはできなかった。特許文献２に係る靴下装着支援器具は、片手でも靴下を履くことができる構造としたが、部品点数が多く構造が複雑でコストがかかるという問題があった。本発明は、このような問題に鑑み、高齢者や手に障害を持つ人であっても、一人で靴下を容易に履くことができる構造でかつ製造コストが低減できる靴下装着支援器具、ならびに介護者が被介護者に容易に靴下を履かせることができる靴下装着支援器具を提案することを課題とする。
【課題を解決するための手段】
【０００５】
上記問題を解決するために、本発明は、靴下を履かせるように装着することにより靴下を袋状に拡径させた状態で保持する靴下保持部と、靴下保持部を支持し、利用者の足のガイドともなる支持部材とを備え、靴下保持部は、少なくともその一部において利用者の足が通過できるように部材が設けられていない足抜き箇所を備え、利用者が靴下保持部に保持された靴下に対して足を押し入れつつ靴下保持部の足抜き箇所から足を抜くことにより靴下の装着を可能としたことを特徴とする靴下装着支援器具である。
【０００６】
なお、靴下保持部は、側部から上部にかけて部材が設けられているが後部および底部から前方にかけて部材が設けられていない構成を備えたものであり、足抜き箇所が底部から前方にかけた箇所にするとよい。または、側部から底部にかけて部材が設けられているが後部および上部から前方にかけて部材が設けられていない構成を備えたものとし、足抜き箇所が上部から前方にかけた箇所となるようにしてもよい。
【０００７】
さらに、本発明に係る靴下装着支援器具は、支持部材を足の腿方向に誘導する操作部を備えるようにしてもよい。操作部は、支持部材を足の腿方向に引き寄せる引き寄せ具としてもよいし、支持部材を足の腿方向に押し出す押し出し具であってもよい。なお、靴下保持部又は支持部材のいずれか又は両方に操作部を備えるようにすることができる。
【０００８】
また、本発明に係る靴下装着支援器具は、支持部材と靴下保持部との相対的角度を自在に可変とする回動機構を備えてよい。回動機構によって、利用者自らが、支持部材と靴下保持部との相対的角度を靴下に対して足先から踵までを挿入しやすい角度、踵を靴下の踵付近に掛けやすい角度、さらに、利用者が靴下に足を押し入れて靴下の装着を完了しやすい角度へと自在に変更できる。
【０００９】
またさらに、支持部材は、靴下保持部と協働して靴下を保持し靴下保持部が回動機構により回動するとき、梃子の支点となって靴下が袋状に拡径することができる靴下保持補助部と、支持部材を床面に戴置する脚部と、操作部と、を備えるようにしてよい。脚部が靴下の踵付近の箇所を靴下内部から床面に対して押圧する使用において、脚部が梃子の支点となって回動機構による支持部材と靴下保持部の相対的角度が可変に調整されうる。
【００１０】
また、別の形態において、本発明に係る靴下装着支援器具は、靴下保持部に保持された状態の靴下の踵付近の箇所を靴下内部から押下する踵係止部を備え、支持部材は靴下保持部と前記踵係止部を支持するような構成とすることができる。この場合においては、支持部材と靴下保持部と踵係止部の相対的角度を自在に可変とする回動機構を備えるようにしてもよい。回動機構は、支持部材と靴下保持部と踵係止部の相対的角度を、利用者が靴下に対して足先から踵までを挿入しやすい角度から、踵を踵係止部に押下された靴下の踵付近に掛けやすい角度、さらに、利用者が靴下に足を押し入れて靴下の装着を完了しやすい角度まで自在に可変とする。この場合にあっては、踵係止部が、靴下の踵付近の箇所を靴下内部から床面に対して押圧する使用において、踵係止部が梃子の支点となって回動機構による支持部材と靴下保持部と踵係止部の相対的角度が可変に調整される。またさらに別の形態において、本発明に係る靴下装着支援器具は、回動機構に連動した弾性体と、利用者の手または足の操作により弾性体に弾性力を生じさせる弾性体伸長機構を備えるようにしてもよい。弾性体に生じさせた弾性力により、回動機構による支持部材と靴下保持部と踵係止部の相対的角度の変化を支援することを可能となる。
【００１１】
さらに、別の形態において、本発明に係る靴下装着支援器具は、靴下保持部の横幅を変化させる枢動機構を備え、枢動機構によって利用者が、靴下保持部の横幅を拡げることにより、靴下保持部に装着されている靴下の開口が拡開できるように構成してもよい。この場合において、本発明に係る靴下装着支援器具は、枢動機構による靴下保持部の横幅の変化を操作する操作ハンドルを備えれば、利用者は操作ハンドルを介して靴下の開口幅を自在に調整することができる。本形態において、支持部材は、枢動機構により枢動する第１の支持柱と、第１の支持柱と連動して枢動する第２の支持柱と、第１の支持柱と第２の支持柱を枢動可能に戴置せしめる支持板とからなる一対の支持柱体と、一対の支持柱体を架橋する架橋部とを備える。また、靴下保持部と支持部材とは４リンク機構で連結され四角形の枠状をなしており、支持部材の第１の支持柱と第２の支持柱を結ぶ部分が移動しないベース関節部として構成され、ベース関節部の対角線上に位置する自由端関節部が靴下保持部の一部であり、四角形の対角位置にある２つの角部同士が接近、離間するように変形する。
【発明の効果】
【００１２】
本発明に係る靴下装着支援器具に係る靴下保持部は、その構成により、靴下を靴下保持部とＵ字部及び踵係止部に片手で容易に被せることが可能であり、足を靴下内に容易に挿入でき、また靴下内に足先を挿入していくだけで靴下が補助具から外れて、靴下装着後も靴下の開口部を外す必要がないため、靴下を高齢者が一人で容易に履くことができ、使いやすいという効果がある。また、医療用の靴下、例えば着圧ソックスを患者に装着する場合にも、介護者が容易に被介護者に容易に装着させることができ、使いやすいという効果がある。
【図面の簡単な説明】
【００１３】
【図１】本発明の実施例１に係る靴下装着支援器具の全体構成を示す斜視図である。
【図２】本発明の実施例１に係る靴下装着支援器具に係る靴下保持部を示す斜視図である。
【図３】本発明の実施例１に係る靴下装着支援器具に係る靴下保持部を示す上面図（ａ）、正面図（ｂ）、右側面図（ｃ）である。
【図４】本発明の実施例１に係る靴下装着支援器具の使用手順を示す図である。
【図５】本発明の実施例１に係る靴下装着支援器具の使用手順を示す図である。
【図６】本発明の実施例２に係る靴下装着支援器具の全体構成を示す斜視図である。
【図７】本発明の実施例２に係る靴下装着支援器具の全体構成を示す右側面図である。
【図８】本発明の実施例３に係る靴下装着支援器具の全体構成を示す斜視図である。
【図９】本発明の実施例３に係る靴下装着支援器具の全体構成を示す右側面図である。
【図１０】本発明の実施例３に係る靴下装着支援器具の使用手順を示す図である。
【図１１】本発明の実施例３に係る別の靴下装着支援器具の全体構成を示す右側面図である。
【図１２】本発明の実施例４に係る靴下装着支援器具の全体構成を示す斜視図である。
【図１３】本発明の実施例４に係る靴下装着支援器具を構成する靴下保持部（ａ）と支持部材（ｂ）の各右側面図である。
【図１４】本発明の実施例４に係る靴下装着支援器具の全体構成を示す右側面図である。
【図１５】本発明の実施例４に係る靴下装着支援器具の使用方法を示す図である。
【図１６】本発明の実施例４に係る靴下装着支援器具の使用手順を示す図である。
【図１７】本発明の実施例５に係る靴下装着支援器具の全体構成を示す斜視図である。
【図１８】本発明の実施例５に係る靴下装着支援器具の枢動機構と４リンク機構を示す平面図である。
【図１９】本発明の実施例５に係る靴下装着支援器具の枢動機構を示す正面図である。
【図２０】本発明の実施例５において、支持部材の架橋部に分度調整部材を備える靴下装着支援器具の一部を示す平面図である。
【発明を実施するための形態】
【００１４】
以下、本発明の実施例を図面に基づき詳細に説明する。実施例１乃至３は、踵係止部を備える靴下装着支援器具に関する実施例であり、実施例４は踵係止部のない靴下装着支援器具に関する実施例である。各図において、同一部分には同一番号を付し、重複する説明は省略する。また、図面は、本発明を理解するために誇張して表現している場合もあり、必ずしも縮尺どおり精緻に表したものではないことに留意されたい。なお、本発明は下記に示される実施例に限られるものではない。
【実施例１】
【００１５】
実施例１を図面を参照して詳細に説明する。
【００１６】
図１は、本発明の実施例１に係る靴下装着支援器具１の全体構成を示す斜視図である。まず、靴下装着支援器具１の全体構成を説明する。靴下装着支援器具１は、大別すると、支持部材１０と靴下保持部２０と引き寄せ具３０とを備える。
【００１７】
支持部材１０は、一対の脚部１１と一対の上枠１２と一対の下枠１３と底部１４とを備える。脚部１１は、平行して起立する２本の略直線棒状部材であって、該棒状部材の上端で一対の上枠１２の一方の端部と連結し、該棒状部材の略中央で一対の下枠１３の一方の端部と連結し、該棒状部材の下端にはＵ字部１５を備える。Ｕ字部１５は、一対の脚部１１が構成する平面に対して略垂直となる面を構成するように、一対の脚部１１の下端に結合される。Ｕ字部１５の湾曲部の中央先端部には、Ｕ字部の湾曲部と共に靴下Ｓのかかと部を保持するコの字形の踵係止部１６が一対の脚部１１が構成する平面に向けて固定されている。上枠１２は、一方の端で脚部１１に連結し、脚部１１の近傍に後述する第１帯状体３２を連結する帯状体取付部１７を形成し、底部１４方向に傾斜して延伸し底部１４の近傍において下枠１３に連結する。下枠１３は脚部１１と連結した一方の端部と反対側の端部で底部１４に連結し、底部１４は一対の下枠１３を架橋している。さらに、底部１４は、脚部１１の下端にあるＵ字部１５に対向した略逆Ｕ字形状を有し、後述する下部帯状体４０を取り付けることができる。また、後述する下部帯状体４０を保持するために底部１４の中央部に凹部が設けられている。
【００１８】
引き寄せ具３０は、把持部３１と第１帯状体３２と第２帯状体３３とからなる。第１帯状体３２の端部は、把持部３１を介して、支持部材１０の一対の帯状体取付部１７に連結されている。他方、第２帯状体３３は、把持部３１と支持部材１０のＵ字部１５とを連結している。なお、帯状体の長さは、利用者の伸長や足の長さに合わせて、調整できるようにしてよい。
【００１９】
以下、一対の脚部１１の直線部が構成する平面に対して、Ｕ字部１５の湾曲した先端部に固定された踵係止部１６が向いている方向側を下側、その反対側を上側と定義して説明する。
【００２０】
図２及び３を参照する。
【００２１】
図２は、本発明の実施例１に係る靴下装着支援器具１に係る靴下保持部２０を示す斜視図である。図３は、本発明の実施例１に係る靴下装着支援器具に係る靴下保持部を示す（ａ）上面図、（ｂ）正面図、（ｃ）右側面図である。靴下Ｓの上面と両側面を保持する靴下保持部２０は、平行に置かれた一対の棒状直線部の先端が上方向に湾曲して後方向に延設して形成され、さらに両端が前記一対の棒状直線部の先端に連結して横架する略逆Ｕ字部２４を備えるアーム部２１と、該アーム部２１を支持する補助部２２と、靴下保持部回動中心部２３を有し、支持部材１０の回転軸を中心に回動可能に支持されている。このように、本発明の実施例１に係る靴下装着支援器具１は、支持部材１０と靴下保持部２０と踵係止部１６の相対的角度を自在に可変とする回動機構を備え、回動機構は、支持部材１０と靴下保持部２０と踵係止部１６の相対的角度を、利用者が靴下Ｓに対して足先から踵までを挿入しやすい角度から、踵を踵係止部１６に押下された靴下Ｓの踵付近に掛けやすい角度、さらに、利用者が靴下Ｓに足を押し入れて靴下Ｓの装着を完了しやすい角度まで自在に可変とすることができる。例えば、支持部材１０と靴下保持部２０と踵係止部１６の相対的角度を９０度にすれば、靴下Ｓを踝まで被せやすくなり、１４５度にすれば、足先を挿入する段階でつま先を伸ばしたまま挿入しやすくなり、また、逆に７０度にすれば、踵を靴下Ｓに掛ける段階で踵を踏みつけやすくなる。足Ｆを蹴り出して靴下を足Ｆに整えつつ、靴下装着支援器具１から引き抜く段階では、角度が大きくなる方が足Ｆを前方に抜きやすいため、角度を相対的に変えることで靴下Ｓが履きやすくなる。足Ｆの踵部が靴下Ｓ内に入りやすいように、下部帯状体４０がＵ字部１５の湾曲部中央と底部１４の中央の間に設けられている。なお、靴下Ｓを足Ｆに装着する際、靴下開口部縁が支持部材１０に被さらないように、一対の補助部２２の靴下保持部回動中心部２３近傍に突起部を設けてもよい。
【００２２】
靴下装着支援器具１の各構成部品の材質は、支持部材１０の一対の脚部１１、Ｕ字部１５、踵係止部１６、上枠１２、下枠１３、底部１４、及び靴下保持部２０は金属製、引き寄せ具３０の把持部３１は握りやすい木製、第１帯状体３２、第２帯状体３３及び下部帯状体４０は柔軟性があり丈夫な布製又は樹脂製が好適である。
【００２３】
なお、実施例１に係る靴下装着支援器具１は、靴下保持部２０が、靴下を履かせるように装着することにより靴下Ｓを袋状に拡径させた状態で保持するような形状であればよく、靴下保持部２０は、少なくともその一部において利用者の足Ｆが通過できるように部材が設けられていない足抜き箇所を備え、利用者が靴下保持部２０に保持された靴下Ｓに対して足Ｆを押し入れつつ靴下保持部２０の足抜き箇所から足を抜くことにより靴下Ｓの装着を可能とすればよい。また、実施例１に係る靴下装着支援器具１は、靴下保持部２０が、側部から上部にかけて部材が設けられているが後部および底部から前方にかけて部材が設けられていない構成を備えたものであり、足抜き箇所が底部から前方にかけた箇所であることを特徴としている。しかし、実施例１の変形形態として、靴下保持部２０が、側部から底部にかけて部材が設けられているが後部および上部から前方にかけて部材が設けられていない構成を備えたものであり、足抜き箇所が上部から前方にかけた箇所であってもよい。
【００２４】
次に、実施例１の靴下装着支援器具１を使用して、靴下Ｓを履く手順を説明する。
【００２５】
図４及び５を参照する。図４及び５は、本発明の実施例１に係る靴下装着支援器具１の使用手順を示す図である。まず、図４を説明する。椅子に座り、前述した通常状態の靴下補助具１の靴下保持部２０側を上にして床下に置く。図４（ａ）に示すように、靴下Ｓを靴下保持部２０のアーム部２１に被せる。次に、図４（ｂ）に示すように、アーム部２１に被せた靴下Ｓを、Ｕ字部１５及び踵係止部１６に被せる。靴下Ｓをしっかりと履くことができるように、靴下Ｓの開口部の上部をアーム部２１の略逆Ｕ字部２４に、また靴下Ｓのかかと部をＵ字部１５及び踵係止部１６に深く被せて、靴下Ｓの先端部をたぐり寄せる。ここで、靴下保持部２０、Ｕ字部１５及び踵係止部１６に被せた靴下Ｓは、その内部が押し広げた状態となる。図４（ｃ）に示すとおり、靴下Ｓを被せられた靴下保持部２０は、靴下保持部回動中心部２３を軸に回動し、先端が床下に置かれる。なお、図４において、説明をわかりやすくするため、靴下装着支援器具１には引き寄せ具３０を示していない。
【００２６】
図５を説明する。靴下Ｓが被せられた靴下装着支援器具１を、支持部材１０の脚部１１が起立するような状態で体の前面に持ってくる。そして、図５（ａ）に示すように、支持部材１１のＵ字部１５、踵係止部１６を床に置いた状態で、足Ｆを下部帯状体４０上に載せる。次に、図５（ｂ）に示すように、靴下装着支援器具１を斜めにして、片手で引き寄せ具３０の把持部３１を持ち、支持部材１１のＵ字部１５、踵係止部１６を床に置いたまま、足のつま先を下部帯状体４０に沿って、靴下Ｓ内に挿入する。把持部３１を握ったまま、足Ｆをつま先からさらに靴下Ｓの中に滑らせて、足のかかとをＵ字部に載せる。把持部３１を握ったまま、靴下装着支援器具１を手前に引き寄せながら、足をつま先からさらに靴下Ｓの中に滑らせると、足Ｆの足先が靴下Ｓの先端部に届いた状態となる。さらに、引き寄せ具３０を手前に引き寄せることで、靴下Ｓは靴下保持部２０、Ｕ字部１５及び踵係止部１６から外れて、図５（ｃ）に示すとおり、靴下Ｓの装着が完了する。
【００２７】
足Ｆをつま先から靴下Ｓの中に滑らせるときに、靴下保持部２０のアーム部２１とＵ字部１５及び踵係止部１６は、被せられた靴下Ｓを適切な摩擦力で保持するため、靴下Ｓを足Ｆにしっかりと履くことができる。靴下Ｓを履いた足Ｆを靴下装着支援器具１から引き抜くときは、引き寄せ具３０を手から離して、足を引くと、自然に靴下保持部２０が下部方向に少し回動して、足Ｆを簡単に抜くことができる。同様の手順で他方の靴下Ｓを脱着できる。
【００２８】
実施例１に係る靴下装着支援器具１は、支持部材１０に回動可能に支持した靴下の上面及び両側面を保持するアーム部２１で構成した靴下保持部２０と、靴下Ｓのかかと部を保持するＵ字部１５及び踵係止部１６を備えているため、靴下Ｓを靴下保持部２０とＵ字部１５及び踵係止部１６に被せることが容易であり、足Ｆを靴下Ｓ内に容易に挿入でき、また靴下Ｓ内に足先を挿入していくだけで靴下Ｓが靴下装着支援器具１から外れるため、靴下Ｓを高齢者が一人で履くことができ使いやすい。さらに、靴下Ｓを広げて足先の挿入を容易にするために設けた補助部２２と、足Ｆのかかと部の挿入を容易にするために設けた下部帯状体４０を備えているため、足Ｆを靴下Ｓ内にさらに容易に挿入できるので、高齢者が一人で容易に靴下を履くことができて使いやすい。
【実施例２】
【００２９】
実施例２を図面を参照して詳細に説明する。
【００３０】
図６及び７は、本発明の実施例２に係る靴下装着支援器具１００の全体構成を示す斜視図及び右側面図である。実施例１では、操作部である引き寄せ具３０は、把持部３１と３つの帯状体３２、３３、４０から構成されていたが、実施例２では、操作部である引き寄せ具１３０は、把持部１３１と一対の棒状体１３２から構成されている。実施例１と実施例２の差異は、引き寄せ具３０、１３０のみの違いであり、これ以外は実質的に同一であるため、靴下を履く手順も実施例１で説明した手順とほぼ同様であるので説明は省略する。
【００３１】
実施例１に係る靴下装着支援器具１は、引き寄せ具３０が帯状体３２、３３、４０から構成されているため、携帯に便利であるという特徴がある。実施例２に係る靴下装着支援器具１００は、引き寄せ具１３０が支持部材１１０に固定されているため、靴下装着支援器具１００を足Ｆから引き抜くことが容易であるという特徴がある。
【実施例３】
【００３２】
実施例３を図面を参照して詳細に説明する。
【００３３】
図８及び９は、本発明の実施例３に係る靴下装着支援器具２００の全体構成を示す斜視図及び右側面図である。実施例３に係る靴下装着支援器具２００は、大別して、靴下保持部２２０と支持部材２１０と操作部２３０とを備える。保持部材２２０は、実施例１及び２の保持部材２０、１２０とほぼ同じ構成である。
【００３４】
支持部材２１０は、一対の脚部２１１と、Ｕ字部２１５とを備える。脚部２１１は、互いに平行して起立し、右側面視して略Ｊ字の棒状部材である。該棒状部材の上端で後述する操作ハンドル２３１の一方の端部と連結し、もう一方の湾曲した端でＵ字部２１５を支持している。また、Ｕ字部２１５は、一対の脚部２１１が起立することを支持して橋架するように、一対の脚部１１の略中央に結合される。Ｕ字部２１５の湾曲部の中央先端部には、Ｕ字部２１５の湾曲部と共に靴下Ｓの踵部を保持するコの字形の踵係止部２１６が一対の脚部１１が構成する平面に向けて固定されている。脚部２１１は底面に接する箇所に底部２１４を備える。下部帯状体２４０は、底部２１４とＵ字部２１５を連結するように設けられる。
【００３５】
操作部２３０は、押し出し具である操作ハンドル２３１、２３２を備える。前述したとおり、操作ハンドル２３１は、脚部２１０の上端に連結固定される。一方、操作ハンドル２３２は、靴下保持部２２０のアーム部２２１の先端近傍で交わるような角度でアーム部２２１に固定される。そのため、靴下保持部回動中心部２２３を軸に操作ハンドル２３２も回動する。
【００３６】
次に、実施例３の靴下装着支援器具２００を使用して、靴下Ｓを履く手順を説明する。
【００３７】
図１０を参照する。図１０は、本発明の実施例３に係る靴下装着支援器具２００の使用手順を示す図である。通常状態の靴下補助具２００の靴下保持部２２０側を上にして床下に置く。図１０（ａ）に示すように、靴下Ｓを操作ハンドル２３１、２３２側から靴下保持部２２０のアーム部２２１の方向に移動しアーム部２２１に被せる。図１０（ｂ）は、靴下Ｓがアーム部２２１、Ｕ字部２１５及び踵係止部２１６に被せられた状態を示す。靴下Ｓをしっかりと履くことができるように、靴下Ｓの開口部の上部をアーム部２２１の略逆Ｕ字部２２４に、また靴下Ｓのかかと部をＵ字部２１５及び踵係止部２１６に深く被せて、靴下Ｓの先端部をたぐり寄せる。ここで、靴下保持部２２０、Ｕ字部２１５及び踵係止部２１６に被せた靴下Ｓは、その内部が押し広げた状態となる。図１０（ｃ）に示すとおり、靴下Ｓが被せられた靴下装着支援器具２００を、支持部材２１０の脚部２１１が起立するような状態で被介護者の足Ｆの前面に持ってくる。そして、図１０（ｃ）に示すように、支持部材２１０のＵ字部２１５、踵係止部２１６を床に置いた状態で、足Ｆを下部帯状体２４０上に載せる。次に、図１０（ｄ）に示すように、介護者は、靴下装着支援器具２００を斜めにして、両手で操作ハンドル２３１、２３２を持ち、支持部材２１１のＵ字部２１５、踵係止部２１６を宙に浮かせた状態で、被介護者の足Ｆのつま先から靴下Ｓを挿入する。介護者は、操作ハンドル２３１、２３２を握ったまま、被介護者の足Ｆのつま先からさらに靴下Ｓの中に滑らせて、足ＦのかかとをＵ字部２１５に載せる。介護者は、操作ハンドル２３１、２３２を握ったまま、靴下装着支援器具２００を、被介護者の足Ｆの腿方向に押し出すと、足Ｆの足先が靴下Ｓの先端部に届いた状態となり、さらに、靴下Ｓは靴下保持部２２０、Ｕ字部２１５及び踵係止部２１６から外れて、靴下Ｓの装着が完了する。
【００３８】
図１１を参照する。図１１は、本発明の実施例３に係る別の靴下装着支援器具２０１の全体構成を示す右側面図である。靴下装着支援器具２００との相違点は、操作部２３０である操作ハンドル２３１、２３２を弾性体２５０で連結している点である。回動機構に連動した弾性体２５０と、利用者の手または足の操作により弾性体２５０に弾性力を生じさせる弾性体伸長機構を備え、弾性体２５０に生じさせた弾性力により、回動機構による支持部材２１０と靴下保持部２２０と踵係止部２１６の相対的角度の変化を支援することを可能とすることができる。このように、操作部２３０が弾性体２５０を備えることにより、靴下装着支援器具２０１の操作者は、操作ハンドル２３１、２３２を容易に操作することができる。
【実施例４】
【００３９】
実施例４を図面を参照して詳細に説明する。なお、前述したとおり、実施例４は踵係止部のない靴下装着支援器具３００に関する。
【００４０】
図１２は、本発明の実施例４に係る靴下装着支援器具３００の全体構成を示す斜視図である。実施例４に係る靴下装着支援器具３００は、大別して、靴下保持部３２０と支持部材３１０とを備える。保持部材３２０は、実施例１、２及び３の保持部材２０、１２０、２２０とほぼ同じ構成であり、詳細は省略するが、後述するとおり、押し出し具である操作ハンドル３３１を備えている。
【００４１】
実施例４に係る靴下装着支援器具３００の構成をわかりやすく説明するため、図１３を参照する。図１３（ａ）、（ｂ）は、本発明の実施例４に係る靴下装着支援器具３００を構成する靴下保持部３２０と支持部材３１０を示す各右側面図である。
【００４２】
まず、図１３（ａ）を参照する。靴下保持部３２０は、平行に置かれた一対の棒状直線部の先端が上方向に湾曲して後方向に延設して形成され、さらに両端が前記一対の棒状直線部の先端に連結して横架する略逆Ｕ字部３２４を備えるアーム部３２１と、該アーム部３２１を支持する補助部３２２と、靴下保持部回動中心部３２３を有し、後述する支持部材３１０の回転軸３１３を中心に回動可能に枢着される。また、靴下保持部３２０は、補助部３２２とアーム部３２１とが連結する箇所の近傍に操作ハンドル３３１を突設固着している。操作ハンドル３２１は押し出し具であり、後述する支持部材３１０に突設固着された操作ハンドル３３２と協働して靴下Ｓの開口部を拡径することができる。
【００４３】
次に、図１３（ｂ）を参照する。支持部材３１０は、一対の脚部３１１と、一対の脚部３１１を連結する連結部３４０とを備える。一対の脚部３１１は、それぞれ２本の棒状部材を屈曲して一方を右側面視で略Ｊ字状に、他方を略Ｖ字状にして、略Ｖ字状部材の端部を床に水平方向に略Ｊ字状部材の短端と長端内壁に融着した形状となっており、互いに平行して起立している。なお、略Ｖ字状部材の屈曲部は靴下保持補助部３１４を形成している。また、連結部３４０は、一対の脚部３１１が起立することを支持して橋架するように、一対の脚部３１１の上述した略Ｊ字状部材の短端と長端との中央の位置に結合されている。連結部３４０の所望の箇所には、操作ハンドル３３２が平面に対し略平行に突設固着されている。さらに、支持部材３１０の一対の脚部３１１は回転軸３１３を備え、靴下保持部３２０の靴下保持部回動中心部３２３を回動自在に枢着する。
【００４４】
図１４を参照する。図１４は、図１３（ａ）、（ｂ）に示した、靴下保持部３２０が支持部材３１０に装着された状態の本発明の実施例４に係る靴下装着支援器具３００の右側面図である。前述したとおり、操作ハンドル３３１は、靴下保持部３２０の補助部３２２とアーム部３２１とが連結する箇所の近傍に連結固定されている。一方、操作ハンドル３３２は、支持部材３１０の連結部３４０に固定されている。そのため、靴下保持部回動中心部３２３を軸に操作ハンドル３３１も回動する。このように、本発明の実施例４に係る靴下装着支援器具３００は、支持部材３１０と靴下保持部３２０との相対的角度を自在に可変とする回動機構を備え、回動機構は、支持部材３１０と靴下保持部３２０との相対的角度を、利用者が靴下Ｓに対して足先から踵までを挿入しやすい角度から、踵を靴下Ｓの踵付近に掛けやすい角度、さらに、利用者が靴下Ｓに足を押し入れて靴下Ｓの装着を完了しやすい角度まで自在に可変とすることができる。足Ｆを蹴り出して靴下Ｓを足Ｆに整えつつ、靴下装着支援器具３００から引き抜く段階では、角度が大きくなる方が足Ｆを前方に抜きやすいため、角度を相対的に変えることで靴下Ｓが履きやすくなる。
【００４５】
次に、図１５にしたがって、実施例４の靴下装着支援器具３００の使用方法を説明する。
【００４６】
図１５を参照する。図１５は、本発明の実施例４に係る靴下装着支援器具３００の使用方法を示す図である。図１５（ａ）に示す靴下装着支援器具３００の状態において、靴下保持部３２０と、支持部材３１０の靴下保持補助部３１４とは互いの先端部が閉じられている。靴下Ｓを装着した後、操作ハンドル３３１を操作ハンドル３３２の方向に引き上げると、靴下保持部回動中心部３２３を軸に操作ハンドル３３１の回動に連動して靴下保持部３２０を形成しているアーム部３２１、補助部３２２、略逆Ｕ字部３２４の各部が一体に引き上げられる。一方、支持部材３１０を形成している脚部３１１、回転軸３１３、靴下保持補助部３１４の各部は、操作ハンドル３３１には連動せずにそのままの姿勢を維持する。そのため、支持部材３１０と靴下保持部３２０の相対的角度が変動することとなる。図１５（ｂ）は、操作ハンドル３３１が操作ハンドル３３２の方向に引き上げられるとともに、靴下保持部３２０の先端が靴下保持補助部３１４の先端から離隔して引き上げられた状態を示している。そうすると、後述する図１６に示すとおり、靴下保持部３２０のアーム部３２１と靴下保持補助部３１４に装着される靴下Ｓの開口部は拡径されることとなる。
【００４７】
図１６を参照する。図１６は、本発明の実施例４に係る靴下装着支援器具３００の使用手順を示す図である。通常状態の靴下装着支援器具３００の靴下保持部３２０側を上にして支持部材３１０を床に置く。図１６（ａ）に示すように、靴下Ｓを操作ハンドル３３１、３３２側から靴下保持部３２０のアーム３２１の方向に移動しアーム部３２１と、支持部材３１０に備える靴下保持補助部３１４に被せ、靴下Ｓのつま先がアーム部３２１と靴下保持補助部３１４の突端に到達するまでたぐって装着する。図１６（ｂ）は、靴下Ｓがアーム部３２１と靴下保持補助部３１４に被せられた状態を示す。靴下Ｓをしっかりと履くことができるように、靴下Ｓの開口部の上部をアーム部３２１の略逆Ｕ字部３２４に、また靴下Ｓのかかと部を靴下保持補助部３１４に深く被せて、靴下Ｓの先端部をたぐり寄せる。この状態で、靴下Ｓは、その内部が押し広げた状態となるが、さらに、図１６（ｃ）に示すとおり、靴下Ｓを装着した後、操作ハンドル３３１を操作ハンドル３３２の方向に引き上げると、靴下保持部回動中心部３２３を軸に操作ハンドル３３１の回動に連動して靴下保持部３２０も引き上げられる。図１６（ｃ）は、操作ハンドル３３１が操作ハンドル３３２の方向に引き上げられるとともに、靴下保持部３２０の先端が靴下保持補助部３１４の先端から離隔して引き上げられた状態を示している。そうすると、靴下保持部３２０のアーム部３２１と靴下保持補助部３１４に装着されていた靴下Ｓの開口部はさらに拡径される。
【００４８】
図には示さないが、図１０と同様に、図１６（ｃ）の状態の靴下装着支援器具３００を、被介護者の足Ｆの前面に持ってくる。そして、介護者は、靴下装着支援器具３００を斜めにして、両手で操作ハンドル３３１、３３２を持ち、被介護者の足Ｆのつま先から靴下Ｓを挿入する。介護者は、操作ハンドル３３１、３３２を握ったまま、被介護者の足Ｆのつま先からさらに靴下Ｓの中に滑らせて、足Ｆのかかとまで挿入する。介護者は、操作ハンドル３３１、３３２を握ったまま、靴下装着支援器具３００を、被介護者の足Ｆの腿方向に押し出すと、足Ｆの足先が靴下Ｓの先端部に届いた状態となり、さらに、靴下Ｓは靴下保持部３２０、支持部材３１０から外れて、靴下Ｓの装着が完了することになる。
【００４９】
なお、実施例４に係る靴下装着支援器具３００は、介護者が被介護者に対して靴下を装着させる器具となっているが、操作ハンドル３３１、３３２の向きを使用者の方に向ける仕様にした引き寄せ具にすることで、使用者が一人で靴下を装着できるようにしてもよい。
【実施例５】
【００５０】
実施例５を図面を参照して詳細に説明する。実施例５は、枢動機構が靴下保持部の横幅を変化させる靴下装着支援器具４００に関する。
【００５１】
図１７を参照する。図１７は、本発明の実施例５に係る靴下装着支援器具４００の全体構成を示す斜視図である。実施例５に係る靴下装着支援器具４００は、大別して、支持部材４１０と靴下保持部４２０とを備える。
【００５２】
支持部材４１０は、一対の支持柱体と該一対の支持柱体を架橋する架橋部４１４とからなる。一対の支持柱体は、第１の支持柱４１１と第２の支持柱４１２と、該第１の支持柱４１１と該第２の支持柱４１２を枢動可能に戴置する支持板４１３と、から構成された２体の支持柱体が、靴下Ｓを装着する方向に並列している。第１の支持柱４１１と第２の支持柱４１２は、中空の円筒状の柱であって、第１の支持柱４１１は第２の支持柱４１２よりも高さが高くなっているが、同じ高さであってもよい。支持板４１３は、第１の支持柱４１１と第２の支持柱４１２を戴置する位置に支持柱の内径よりも短い外径を有する円筒突状部（図に示していない）を備え、支持柱４１１、４１２は支持板４１３の該円筒突状部に枢設して戴置する。架橋部４１４は支持柱４１１の内径よりも短い外径の円筒状部材を屈曲し、一対の支持柱体を架橋するように円筒状部材の端部を第１の支持柱４１１の内径に挿通して構成されている。なお、図１７に示すとおり、架橋部４１４は補助架橋部４１５を備えてよい。補助架橋部４１５は、支持柱４１２の内径よりも短い外径の円筒状部材をＲ曲げ加工したもので、一方の端部が第２の支持柱４１２の内径に挿通し、他方の端部は第１の支持柱４１１に挿通した架橋部４１４に固着するとよい。さらに、第１の支持柱４１１は、第１の支持柱４１１を枢動操作するための操作ハンドル４３２を備える。
【００５３】
一方、靴下保持部４２０は、実施例１、２、３及び４の靴下保持部２０、１２０、２２０、３２０とほぼ同じ構成であり、詳細は省略するが、実施例４と同様に押し出し具である操作ハンドル４３１を備えてよい。
【００５４】
次に、支持部材４１０と靴下保持部４２０の連結について説明する。支持部材４１０において、一対の支持柱体に係る第１の支持柱４１１及び第２の支持柱４１２は、各支持柱同士が対向する側面に突出部４１１１、４１１２、４１２１、４１２１を備えている。他方、靴下保持部４２０は、支持部材４１０に連結する取付板４５１、４５２を備える。取付板４５１は、第１の支持柱４１１の突出部４１１１に支軸４６１で軸回りに旋回可能に取り付けられる。また、取付板４５２は、第２の支持柱４１２の突出部４１２１に支軸４６２で軸回りに旋回可能に取り付けられる。
【００５５】
実施例５に係る靴下装着支援器具４００の枢動機構をわかりやすく説明するため、図１８及び１９を参照する。図１８は、本発明の実施例５に係る靴下装着支援器具４００の枢動機構と４リンク機構を示す平面図であり、図１９は、図１８の正面図である。それぞれ、（ａ）は枢動前の状態、（ｂ）は靴下保持部４２０の横幅が最も縮小する状態、（ｃ）は、靴下保持部４２０の横幅が最も離間した状態を示す。
【００５６】
まず、図１８（ａ）及び、図１９（ａ）を参照する。前述したとおり、靴下保持部４２０は、支持部材４１０に連結する取付板４５１、４５２を備える。すなわち、取付板４５１は、第１の支持柱４１１の突出部４１１１に支軸４６１で軸回りに旋回可能に連結し、取付板４５２は、第２の支持柱４１２の突出部４１２１に支軸４６２で軸回りに旋回可能に連結している。支持部材４１０は、支持柱４１１、４１２が支持板４１３に枢着され、第１の支持柱４１１に操作ハンドル４３２を突設固着しているので、操作ハンドル４３２を矢印の方向に作動すると、第１の支持柱４１１が枢軸まわりに矢印方向に枢動し、同時に第１の支持柱４１１の突出部４１１１も枢軸まわりに矢印方向に枢動する。さらに、靴下保持部４２０に固着した取付板４５１は支軸４６１で軸回りに旋回し、同時に取付板４５２は支軸４６２で軸回りに旋回し、さらに支軸４６２に連結されている突出部４１２１を介して第２の支持柱４１２のも枢軸回りに枢動することになる。
【００５７】
次に、図１８（ｂ）及び図１９（ｂ）を参照する。図１８（ａ）の状態から、操作ハンドル４３２を矢印方向に動作し、靴下保持部４２０に対して操作ハンドル４３２が直角になった状態が図１８（ｂ）である。この状態は、支持部材４１０と靴下保持部４２０との相対的距離が最も離間し、かつ一対の靴下装着部４２０の相互の相対的距離が最も近接する状態である。図１９（ｂ）に示すとおり、この状態で靴下装着部４２０に靴下Ｓを装着するとよい。図１８（ｃ）及び図１９（ｃ）を参照する。図１８（ｂ）の状態でさらに操作ハンドル４３２を矢印方向に動作すると、図１８（ｃ）及び図１９（ｃ）の状態になる。この状態は、支持部材４１０と靴下保持部４２０との相対的距離が近接し、かつ一対の靴下装着部４２０の横幅が離間した状態となり、図１９（ｃ）に示すとおり、靴下保持部４２０に装着された靴下Ｓの開口部は拡径される。
【００５８】
以上のとおり、靴下保持部４２０と支持部材４１０とは４リンク機構で連結され平面視において四角形の枠状をなしており、支持部材４１０の第１の支持柱４１１と第２の支持柱４１２を結ぶ部分が移動しないベース関節部として構成され、該ベース関節部の対角線上に位置する自由端関節部が靴下保持部の一部であることから、四角形の対角位置にある２つの角部同士が接近、離間するように変形し、結果として靴下保持部４２０の横幅が変化するのである。
【００５９】
図２０を参照する。図２０は、本発明の実施例５において、支持部材４１０の架橋部４１４に分度調整部材４７０を備える靴下装着支援器具４００の一部を示す平面図である。図２０（ａ）ないし（ｃ）は、平面視における図１８（ａ）ないし（ｃ）に示す靴下装着支援器具４００の左半分に該当し、架橋部４１４は分度調整部材４７０を備えている。前述したとおり、架橋部４１４は、一対の支持柱体を架橋し固定されている。したがって、支持柱４１１、４１２が枢軸周りに枢動しても、架橋部４１４は静止状態にあるので、架橋部４１４に固定された分度調整部材４７０も動くことはない。分度調整部材４７０は、後述するとおり、支持柱４１１が枢軸周りに枢動させて支持部材４１０と靴下保持部４２０との相対的距離を可変させるために、操作ハンドル４３２の靴下保持部４２０との相対的角度を調整するものである。図２０（ａ）ないし（ｃ）に示すとおり、操作ハンドル４３２の靴下保持部４２０に対する相対角度の変化を分度調整部材４７０で視認できるので、靴下Ｓの大小や必要とする開口部の大きさに応じて、当該角度を調整することができる。
【００６０】
本発明の実施例５に係る靴下装着支援器具４００は、実施例４と同様に、支持部材４１０と靴下保持部４２０との相対的角度を自在に可変とする回動機構をも備え、該回動機構は、支持部材４１０と靴下保持部４２０との相対的角度を、利用者が靴下Ｓに対して足先から踵までを挿入しやすい角度から、踵を靴下Ｓの踵付近に掛けやすい角度、さらに、利用者が靴下Ｓに足を押し入れて靴下Ｓの装着を完了しやすい角度まで自在に可変とするようにしてもよい。
【００６１】
以上、本発明に係る靴下装着支援器具における好ましい実施形態を図示して説明してきたが、本発明の技術的範囲を逸脱することなく種々の変更が可能であることは理解されるであろう。
【産業上の利用可能性】
【００６２】
本発明に係る靴下装着支援器具は、靴下を高齢者や障害者が一人で容易に履くことができる家庭用として使用できるとともに、医療現場において、例えば、足のむくみや下肢静脈瘤の予防・再発防止に一般医療用具として用いられる着圧ソックスを患者に装着する場合にも、介護者が容易に被介護者に容易に装着させることができるので、医療用・介護用の靴下装着支援器具として広く利用することができる。
【符号の説明】
【００６３】
１  １００  ２００  ２０１  ３００  ４００  靴下装着支援器具
１０  １１０  ２１０  ３１０  ４１０  支持部材
１５  １１５  ２１５  Ｕ字部
１６  １１６  ２１６  踵係止部
２０  １２０  ２２０  ３２０  ４２０  靴下保持部
２１  １２１  ２２１  ３２１  アーム部
２２  １２２  ２２２  ３２２  補助部
２３  １２３  ２２３  ３２３  靴下保持部回動中心部
３０  １３０  引き寄せ具
２３１  ２３２  ３３１  ３３２  ４３１  押し出し具
３１４  靴下保持補助部
２５０  弾性体
４１１  第１の支持柱
４１２  第２の支持柱
４１３  支持板
４１４  架橋部
４２２  操作ハンドル
４６０  分度調整部材
Ｓ  靴下
Ｆ  足
【図１】
2014061259.tif 000003
【図２】
2014061259.tif 000004
【図３】
2014061259.tif 000005
【図４】
2014061259.tif 000006
【図５】
2014061259.tif 000007
【図６】
2014061259.tif 000008
【図７】
2014061259.tif 000009
【図８】
2014061259.tif 000010
【図９】
2014061259.tif 000011
【図１０】
2014061259.tif 000012
【図１１】
2014061259.tif 000013
【図１２】
2014061259.tif 000014
【図１３】
2014061259.tif 000015
【図１４】
2014061259.tif 000016
【図１５】
2014061259.tif 000017
【図１６】
2014061259.tif 000018
【図１７】
2014061259.tif 000019
【図１８】
2014061259.tif 000020
【図１９】
2014061259.tif 000021
【図２０】
2014061259.tif 000022